(57)【特許請求の範囲】
【請求項１】
コードレス電話装置の親機を通信装置筐体に内蔵し、通信回線を介して他の通信装置と通信可能で、しかも通信装置の組み立て完了後に前記通信回線を介さずにコンピュータに接続可能な接続部を有する通信装置において、前記通信装置は、前記コードレス電話装置の識別情報を前記親機の記憶手段に記憶させるための記憶制御プログラムを通信装置を動作させるためのプログラムとともに格納した記録媒体と、前記接続部に接続されたコンピュータから前記コードレス電話装置の識別情報が入力されたときに、通信装置全体を制御する一のＣＰＵが前記記憶制御プログラムに基づき、前記コードレス電話装置の識別情報を親機全体を制御する他のＣＰＵを介して前記親機の記憶手段に記憶させる記憶制御手段を備えたことを特徴とする通信装置。
【請求項２】
前記記憶制御手段は、前記親機全体を制御する他のＣＰＵに予め決められた第１のコマンドと前記識別情報とを伝送することにより、前記識別情報を前記親機の記憶手段に記憶させる、請求項１に記載の通信装置。
【請求項３】
前記コンピュータからの指示に基づいて、前記親機全体を制御する他のＣＰＵに予め決められた第２のコマンドを伝送することにより、前記親機の記憶手段から前記識別情報を読み出させ、その識別情報を前記コンピュータに伝送する識別情報取出手段を備えた、請求項１または請求項２に記載の通信装置。
【発明の詳細な説明】
【０００１】
【発明の属する技術分野】
本発明は、コードレス電話装置を内蔵し、通信回線を介して他の通信装置と通信可能で、しかも通信回線を介さずにコンピュータに接続可能な通信装置に関するものである。
【０００２】
【従来の技術】
コードレス電話装置においては、混信や誤課金を避けるために、各コードレス電話装置固有のＩＤコードを親機と子機とに記憶させ、互いに異なるコードレス電話装置の親機と子機との直接的な通信がなされないようにしている。
【０００３】
したがって、コードレス電話装置を内蔵したたとえばファクシミリ装置においては、製造工程のいずれかの段階で、コードレス電話装置の親機と子機との不揮発性メモリにそれぞれＩＤコードを記憶させる必要がある。
【０００４】
そこで従来のファクシミリ装置では、コードレス電話装置の親機を構成するプリント基板をファクシミリ装置の筐体に組み込む前に、そのプリント基板を特別な入力装置にセットし、専用あるいは汎用のパーソナルコンピュータなどを用いてＩＤコードを親機のＥＥＰＲＯＭに記憶させていた。また、コードレス電話装置の子機のＥＥＰＲＯＭには、子機の組み立て完了後に、充電用の端子を利用して、専用あるいは汎用のパーソナルコンピュータなどからＩＤコードを入力することにより記憶させていた。
【０００５】
【発明が解決しようとする課題】
しかしながら、上記従来のファクシミリ装置では、組み立ての途中でコードレス電話装置の親機と子機とのＥＥＰＲＯＭにそれぞれＩＤコードを記憶させてしまうので、それ以降の工程では、コードレス電話装置の親機を構成するプリント基板と子機とをセットにして組み立てラインに流す必要があり、生産効率が悪いという課題があった。
【０００６】
すなわち、ファクシミリ装置とコードレス電話装置の子機とは別の筐体であるので、互いに別のラインで組み立てて、最終的にセットにするのが、生産効率の観点からは非常に優れているのであるが、組み立て完了前にＩＤコードを記憶させてしまうと、組み立て完了後に親機と子機との対応関係が不明とならないように、常にコードレス電話装置の親機を構成するプリント基板と子機とを一緒にして組み立てラインに流さなければならないのである。
【０００７】
本発明は、上記の点に鑑みて提案されたものであって、組み立て完了後に、内蔵したコードレス電話装置の親機の記憶手段に識別情報を記憶させることができる通信装置を提供することを目的としている。
【０００８】
【課題を解決するための手段】
上記目的を達成するため、請求項１に記載した発明の通信装置は、コードレス電話装置の親機を通信装置筐体に内蔵し、通信回線を介して他の通信装置と通信可能で、しかも通信装置の組み立て完了後に通信回線を介さずにコンピュータに接続可能な接続部を有する通信装置において、通信装置は、コードレス電話装置の識別情報を親機の記憶手段に記憶させるための記憶制御プログラムを通信装置を動作させるためのプログラムとともに格納した記録媒体と、接続部に接続されたコンピュータからコードレス電話装置の識別情報が入力されたときに、通信装置全体を制御する一のＣＰＵが記憶制御プログラムに基づき、コードレス電話装置の識別情報を親機全体を制御する他のＣＰＵを介して親機の記憶手段に記憶させる記憶制御手段を備えている。
【０００９】
この通信装置によれば、記憶制御手段が、コンピュータからコードレス電話装置の識別情報が入力されたときに、その識別情報を親機の記憶手段に記憶させるので、組み立て完了後に、内蔵したコードレス電話装置の親機の記憶手段に識別情報を記憶させることができる。したがって、通信装置とコードレス電話装置の子機とを互いに別の組み立てラインで組み立てた後に、通信装置に内蔵された親機の記憶手段と子機の記憶手段とに識別情報を記憶させればよいので、生産性が格段に向上し、生産コストを低下させることができる。
【００１０】
通信回線は、公衆回線であっても専用回線であってもよく、また有線でも無線でもよい。
【００１１】
コンピュータとしては、パーソナルコンピュータやワークステーションが考えられるが、これらに限るものではない。
【００１２】
通信装置とコンピュータとの接続は、シリアルケーブルであってもパラレルケーブルであってもよいし、あるいは赤外線や電波などを利用した無線であってもよい。
【００１３】
記憶手段としては、ＥＥＰＲＯＭやフラッシュメモリなどの電気的に書換え可能な不揮発性メモリが考えられるが、これに限るものではなく、電気的に書込可能な記憶媒体であればよい。
【００１４】
通信装置としては、ファクシミリ装置、あるいはファクシミリ装置とイメージスキャナとプリンタとコピー機などの多くの機能を有する複合機などが考えられるが、これに限らず、通信回線を介して他の通信装置と通信可能で、しかも通信回線を介さずにコンピュータに接続可能なものであればよい。
【００１５】
また、請求項２に記載した発明の通信装置は、請求項１に記載の通信装置であって、記憶制御手段は、親機全体を制御する他のＣＰＵに予め決められた第１のコマンドと識別情報とを伝送することにより、識別情報を親機の記憶手段に記憶させる。
【００１６】
この通信装置によれば、請求項１に記載の通信装置による効果に加えて、親機全体を制御する他のＣＰＵを利用して親機の記憶手段に識別情報を記憶させることができるので、容易かつ迅速に識別情報の格納処理を行える。
【００１７】
更に、請求項３に記載した発明の通信装置は、請求項１または請求項２に記載の通信装置であって、コンピュータからの指示に基づいて、親機全体を制御する他のＣＰＵに予め決められた第２のコマンドを伝送することにより、親機の記憶手段から識別情報を読み出させ、その識別情報をコンピュータに伝送する識別情報取出手段を備えている。
【００１８】
この通信装置によれば、請求項１または請求項２に記載の通信装置による効果に加えて、親機の記憶手段に記憶させた識別情報を取り出してコンピュータに伝送できるので、識別情報の登録後に通信装置とコードレス電話装置の子機とが離別してしまったような場合に、識別情報により対応する子機を判別できて便利である。
【００１９】
たとえば、識別情報の登録後に、通信装置の検査で何らかの問題が見つかり、修理をするような場合、通信装置と子機とが別々になってしまうことがあるが、このような場合、識別情報を読み出すことによって対応する子機を判断できるので、管理が容易になる。
【００２０】
【００２１】
【００２２】
【００２３】
【００２４】
【００２５】
【発明の実施の形態】
以下、本発明の好ましい実施の形態を、図面を参照しつつ具体的に説明する。
【００２６】
図１は、本発明に係る通信装置の一例としてのファクシミリ装置の回路ブロック図であって、このファクシミリ装置は、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、読取部１１、記録部１２、操作部１３、表示部１４、セントロニクスインタフェース１５、およびコードレス電話装置の親機１６を備えている。ＣＰＵ１、ＮＣＵ２、ＲＡＭ３、モデム４、ＲＯＭ５、ＥＥＰＲＯＭ６、ゲートアレイ７、コーデック８、およびＤＭＡＣ９は、バス線により相互に接続されている。バス線には、アドレスバス、データバス、および制御信号線が含まれる。ゲートアレイ７には、読取部１１、記録部１２、操作部１３、表示部１４、セントロニクスインタフェース１５、および親機１６が接続されている。ＮＣＵ２には、通信回線の一例としての電話回線１７とコーデック８とが接続されている。セントロニクスインタフェース１５は、セントロニクス規格に準拠したケーブル３１を介してパーソナルコンピュータ３２に接続可能な接続部である。
【００２７】
親機１６は、ＣＰＵ２１、ＲＯＭ２２、ＲＡＭ２３、インタフェース２４、ＥＥＰＲＯＭ２５、ゲートアレイ２６、および通信部２７を備えている。ＣＰＵ２１、ＲＯＭ２２、ＲＡＭ２３、インタフェース２４、ＥＥＰＲＯＭ２５、およびゲートアレイ２６は、バス線により相互に接続されている。バス線には、アドレスバス、データバス、および制御信号線が含まれる。通信部２７は、電波により子機２８と通信可能である。
【００２８】
ＣＰＵ１は、ファクシミリ装置全体を制御する。ＮＣＵ２は、電話回線１７に接続されて網制御を行う。ＲＡＭ３は、各種のデータを記憶する。モデム４は、送信ファクシミリデータの変調や受信ファクシミリデータの復調などを行う。ＲＯＭ５は、各種のプログラムなどを記憶している。ＥＥＰＲＯＭ６は、各種の登録データやフラグなどを記憶する。ゲートアレイ７は、ＣＰＵ１の入出力インタフェースとして機能する。コーデック８は、送信ファクシミリデータの符号化や受信ファクシミリデータの復号化、ならびに音声信号の符号化および復合化を行う。ＤＭＡＣ９は、ＲＡＭ３へのデータの書き込みや読み出しを行う。読取部１１は、光源やＣＣＤセンサや原稿送りモータなどを備えており、原稿を読み取って画信号を出力する。記録部１２は、インクジェット方式あるいは熱転写方式などの印刷手段を備えており、受信画像などを記録用紙上に記録する。操作部１３は、キースイッチ群などからなり、使用者の操作に応じた信号を出力する。表示部１４は、ＬＣＤなどからなり、ＣＰＵ１により制御されて各種の表示を行う。セントロニクスインタフェース１５は、ＣＰＵ１とパーソナルコンピュータ３２との間の通信を制御する。
【００２９】
親機１６は、コードレス電話機能に関する各種の制御を行う。ＣＰＵ２１は、親機１６全体を制御する。ＲＯＭ２２は、ＣＰＵ２１を動作させるためのプログラムなどを記憶している。ＲＡＭ２３は、各種のデータを記憶する。インタフェース２４は、ＣＰＵ１と親機１６のＣＰＵ２１との間の通信を制御する。ＥＥＰＲＯＭ２５は、コードレス電話装置のＩＤコードなどのデータを記憶する。ゲートアレイ２６は、ＣＰＵ２１と通信部２７との間のインタフェースとして機能する。通信部２７は、子機２８との間で無線通信を行う。子機２８は、ＣＰＵ、ＥＥＰＲＯＭ、音声コーデック、無線通信回路、マイクロホン、スピーカなどを備えており、使用者が電話による会話を行うためのものである。パーソナルコンピュータ３２は、ファクシミリ装置の組み立て完了後に、ケーブル３１を介してセントロニクスインタフェース１５に接続することにより、親機１６のＥＥＰＲＯＭ２５にコードレス電話装置のＩＤコードを記憶させるためのものである。
【００３０】
すなわち、電話回線１７は、通信回線の一例である。パーソナルコンピュータ３２は、コンピュータの一例である。ＣＰＵ１は、ＲＯＭ５に格納されているプログラムに基づいて動作することにより、コンピュータからコードレス電話装置の識別情報が入力されたときに、その識別情報を親機の記憶手段に記憶させる記憶制御手段を実現している。
【００３１】
上記ファクシミリ装置においては、子機２８とは別の組み立てラインで組み立て、その組み立て完了後に、子機２８とセットにして、コードレス電話装置の識別情報としてのＩＤコードを書き込む。すなわち、子機２８には、充電用の端子を利用して、パーソナルコンピュータなどによりＩＤコードを入力し、ＥＥＰＲＯＭに記憶させる。親機１６には、セントロニクスインタフェース１５にケーブル３１を介してパーソナルコンピュータ３２を接続し、パーソナルコンピュータ３２から所定のコマンドやＩＤコードを入力して、ＣＰＵ１により親機１６のＥＥＰＲＯＭ２５にＩＤコードを記憶させる。
【００３２】
このようなＣＰＵ１によるＩＤ書込処理の手順について、図２に示すフローチャートを参照しながら説明する。
【００３３】
ＩＤコードの書き込みに際しては、パーソナルコンピュータ３２からケーブル３１に第１のコマンドとしてのＩＤ書込コマンドが送出されるので、先ずＣＰＵ１が、パーソナルコンピュータ３２からのＩＤ書込コマンドを受信したか否かを判断する（Ｓ１）。ＩＤ書込コマンドを受信すれば（Ｓ１：ＹＥＳ）、ＣＰＵ１が、ゲートアレイ７とインタフェース２４とを介して親機１６のＣＰＵ２１にＩＤ書込コマンドを送信する（Ｓ２）。ＩＤ書込コマンドを受信した親機１６のＣＰＵ２１は、パリティチェックなどを実行し、ＩＤ書込コマンドを正しく受信した場合、了承コマンドをインタフェース２４に送出し、通信エラーなどでＩＤ書込コマンドを正しく受信しなかった場合、拒否コマンドをインタフェース２４に送出するので、ＣＰＵ１が、親機１６のＣＰＵ２１からの拒否コマンドを受信したか否かを判断する（Ｓ３）。拒否コマンドを受信していなければ（Ｓ３：ＮＯ）、ＣＰＵ１が、親機１６のＣＰＵ２１からの了承コマンドを受信したか否かを判断する（Ｓ４）。了承コマンドを受信すれば（Ｓ４：ＹＥＳ）、ＣＰＵ１が、ゲートアレイ７、セントロニクスインタフェース１５およびケーブル３１を介してパーソナルコンピュータ３２に了承コマンドを送信する（Ｓ５）。
【００３４】
了承コマンドを受信したパーソナルコンピュータ３２は、ＩＤコードをケーブル３１に送出するので、ＣＰＵ１が、パーソナルコンピュータ３２からのＩＤコードを受信したか否かを判断する（Ｓ６）。ＩＤコードを受信すれば（Ｓ６：ＹＥＳ）、ＣＰＵ１が、ゲートアレイ７とインタフェース２４とを介して親機１６のＣＰＵ２１にＩＤコードを送信する（Ｓ７）。ＩＤコードを受信した親機１６のＣＰＵ２１は、そのＩＤコードをＥＥＰＲＯＭ２５に書き込むとともに、そのＩＤコードをインタフェース２４に送出するので、ＣＰＵ１が、親機１６のＣＰＵ２１からのＩＤコードを受信したか否かを判断する（Ｓ８）。ＩＤコードを受信すれば（Ｓ８：ＹＥＳ）、ＣＰＵ１が、ゲートアレイ７、セントロニクスインタフェース１５、およびケーブル３１を介してパーソナルコンピュータ３２に受信したＩＤコードを送信する（Ｓ９）。ＩＤコードを受信したパーソナルコンピュータ３２は、受信したＩＤコードを最初に送信したＩＤコードと比較して、それが正しいか否かを調べ、正しければパーソナルコンピュータ３２のディスプレイ画面上にＩＤ書込処理が正しく終了した旨を表示し、正しくなければパーソナルコンピュータ３２のディスプレイ画面上にその旨を表示する。さらにパーソナルコンピュータ３２は、受領コマンドをケーブル３１に送出するので、ＣＰＵ１が、パーソナルコンピュータ３２からの受領コマンドを受信したか否かを判断する（Ｓ１０）。受領コマンドを受信すれば（Ｓ１０：ＹＥＳ）、このルーチンを終了する。
【００３５】
Ｓ１０において、パーソナルコンピュータ３２からの受領コマンドを受信していなければ（Ｓ１０：ＮＯ）、Ｓ１０に戻ってパーソナルコンピュータ３２からの受領コマンドを受信するのを待つ。
【００３６】
Ｓ８において、親機１６のＣＰＵ２１からのＩＤコードを受信していなければ（Ｓ８：ＮＯ）、Ｓ８に戻って親機１６のＣＰＵ２１からのＩＤコードを受信するのを待つ。
【００３７】
Ｓ６において、パーソナルコンピュータ３２からのＩＤコードを受信していなければ（Ｓ６：ＮＯ）、Ｓ６に戻ってパーソナルコンピュータ３２からのＩＤコードを受信するのを待つ。
【００３８】
Ｓ４において、親機１６のＣＰＵ２１からの了承コマンドを受信していなければ（Ｓ４：ＮＯ）、Ｓ３に戻って処理を継続する。
【００３９】
Ｓ３において、親機１６のＣＰＵ２１からの拒否コマンドを受信すれば（Ｓ３：ＹＥＳ）、ＣＰＵ１が、ゲートアレイ７、セントロニクスインタフェース１５、およびケーブル３１を介してパーソナルコンピュータ３２に拒否コマンドを送信し（Ｓ１１）、このルーチンを終了する。拒否コマンドを受信したパーソナルコンピュータ３２は、ディスプレイ画面上に、ＣＰＵ１と親機１６のＣＰＵ２１との通信が不成功であった旨を表示する。
【００４０】
Ｓ１において、パーソナルコンピュータ３２からのＩＤ書込コマンドを受信していなければ（Ｓ１：ＮＯ）、Ｓ１に戻ってパーソナルコンピュータ３２からのＩＤ書込コマンドを受信するのを待つ。
【００４１】
さらに、上記ファクシミリ装置は、ＥＥＰＲＯＭ２５に記憶されたＩＤコードを読み出すことができる。すなわち、パーソナルコンピュータ３２から第２のコマンドが入力されると、ＣＰＵ１は、ゲートアレイ７とインタフェース２４とを介して親機１６のＣＰＵ２１に、ＥＥＰＲＯＭ２５に記憶されたＩＤコードを読み出す旨のコマンドを伝送する。これにより親機１６のＣＰＵ２１が、ＥＥＰＲＯＭ２５に記憶されたＩＤコードを読み出し、インタフェース２４とゲートアレイ７とを介してＣＰＵ１にＩＤコードを伝送する。このＩＤコードを受け取ったＣＰＵ１は、ゲートアレイ７、セントロニクスインタフェース１５、およびケーブル３１を介して、パーソナルコンピュータ３２にＩＤコードを送信する。
【００４２】
このように、ＣＰＵ１が、パーソナルコンピュータ３２からコードレス電話装置のＩＤコードが入力されたときに、その識別情報を親機１６のＣＰＵ２１を利用してＥＥＰＲＯＭ２５に記憶させるので、ファクシミリ装置の組み立て完了後に、内蔵したコードレス電話装置の親機１６のＥＥＰＲＯＭ２５にＩＤコードを記憶させることができる。したがって、ファクシミリ装置とコードレス電話装置の子機２８とを互いに別の組み立てラインで組み立てた後に、ファクシミリ装置に内蔵された親機１６のＥＥＰＲＯＭ２５と子機２８のＥＥＰＲＯＭとにＩＤコードを記憶させればよいので、生産性が格段に向上し、生産コストを低下させることができる。
【００４３】
また、親機１６のＥＥＰＲＯＭ２５に格納されたＩＤコードを読み出してパーソナルコンピュータ３２に送信できるので、ＩＤコードの登録後にファクシミリ装置とコードレス電話装置の子機２８とが離別してしまったような場合に、ＩＤコードにより対応する子機２８を判別できて便利である。たとえば、ＩＤコードの登録後に、ファクシミリ装置の検査で何らかの問題が見つかり、修理をするような場合、ファクシミリ装置と子機２８とが別々になってしまうことがあるが、このような場合、ＩＤコードを読み出すことによって対応する子機２８を判断できるので、管理が容易になる。
【００４４】
【発明の効果】
以上説明したように請求項１に記載した発明の通信装置によれば、記憶制御手段が、コンピュータからコードレス電話装置の識別情報が入力されたときに、その識別情報を親機の記憶手段に記憶させるので、組み立て完了後に、内蔵したコードレス電話装置の親機の記憶手段に識別情報を記憶させることができる。したがって、通信装置とコードレス電話装置の子機とを互いに別の組み立てラインで組み立てた後に、通信装置に内蔵された親機の記憶手段と子機の記憶手段とに識別情報を記憶させればよいので、生産性が格段に向上し、生産コストを低下させることができる。
【００４５】
また、請求項２に記載した発明の通信装置によれば、請求項１に記載の通信装置による効果に加えて、親機全体を制御する他のＣＰＵを利用して親機の記憶手段に識別情報を記憶させることができるので、容易かつ迅速に識別情報の格納処理を行える。
【００４６】
更に、請求項３に記載した発明の通信装置によれば、親機の記憶手段に記憶させた識別情報を取り出してコンピュータに伝送できるので、識別情報の登録後に通信装置とコードレス電話装置の子機とが離別してしまったような場合に、識別情報により対応する子機を判別できて便利である。
【００４７】
【００４８】
【図面の簡単な説明】
【図１】本発明に係る通信装置の一例としてのファクシミリ装置の回路ブロック図である。
【図２】ＩＤ書込処理の手順を説明するフローチャートである。
【符号の説明】
１  ＣＰＵ
２  ＮＣＵ
３  ＲＡＭ
４  モデム
５  ＲＯＭ
７  ゲートアレイ
８  コーデック
１５  セントロニクスインタフェース
１６  親機
２１  ＣＰＵ
２４  インタフェース
２５  ＥＥＰＲＯＭ
３１  ケーブル
３２  パーソナルコンピュータ
【図１】
0003572857.tif 000002
【図２】
0003572857.tif 000003